(57)【特許請求の範囲】
【請求項１】
地上面からサイロ本体上部の材料投入口に渡り架設したフレームに案内レールを配設し、該案内レールの摺動面と摺接回転するローラを配設したバケットをウインチの正逆回転による索条の巻き上げ、繰り出しにより昇降させるアスファルト合材サイロの垂直搬送装置において、前記バケットのゲートを二分割のゲ−トによる両開き構造とし、各ゲートの上端部をバケットに回動自在に軸支すると共に、各ゲートを互いに相反方向に連動して開閉するようにリンク材を介して連結し、各ゲートの自重にて閉状態が維持される構成とし、ゲートの一方側には所定の圧力でゲートを閉方向のみに常時押圧付勢する押圧手段を配設し、この一方のゲート下端部には回動自在なゲートローラを配設する一方、サイロ本体上部の材料投入口上位には前記ゲートローラを誘導して押圧手段の圧力に抗して一方のゲートを開放させる誘導レールを配設し、この一方のゲートの開放に伴ってリンク材を介して他方のゲートも開放させるように構成したことを特徴とするアスファルト合材サイロの垂直搬送装置。
【請求項２】
前記押圧手段が高圧ガスを封入したガススプリングであることを特徴とする請求項１記載のアスファルト合材サイロの垂直搬送装置。
【発明の詳細な説明】
【０００１】
【発明の属する技術分野】
本発明は、道路舗装用材料として用いられるアスファルト合材を一時貯蔵するアスファルト合材サイロの垂直搬送装置に関する。
【０００２】
【従来の技術】
アスファルト合材サイロの垂直搬送装置は、地上面からサイロ本体上部の材料投入口に渡って架設したフレームに案内レールを配設し、該案内レールに沿って合材搬送用バケットをウインチによって昇降させており、このバケットのゲート部は、実公昭６０−３３１３０号公報に記載されるように、ゲートの一端を回動自在に軸支し、該軸支部を中心に回動させて開閉するゲート構造となっており、またバケットが長距離移動するためにコイルバネ等の弾性体を圧縮して内装したシリンダによってゲートを閉方向に常時押圧付勢し、このバケットがサイロ本体上部の材料投入口に到達するとゲート下部に配設したローラを誘導レールに誘導し、シリンダのコイルバネに抗してゲートを開放してアスファルト合材を払い出すようしている。
【０００３】
【発明が解決しようとする課題】
しかしながら、従来のようにゲートを一端側で軸支して開閉させるゲート構造では、バケット内に投入されるアスファルト合材とゲートの重量をシリンダの力で支えているためにコイルバネを利用したシリンダでは相当大型のものとなってコストも高くなり、また相当な重量となってウインチやワイヤの負担も大きいものとなっている。
【０００４】
本発明は上記の点に鑑み、バケットのゲート開閉機構を簡素化してコストの低減を図るようにしたアスファルト合材サイロの垂直搬送装置を提供することを課題とする。
【０００５】
【課題を解決するための手段】
本発明は上記の課題を達成するために、地上面からサイロ本体上部の材料投入口に渡り架設したフレームに案内レールを配設し、該案内レールの摺動面と摺接回転するローラを配設したバケットをウインチの正逆回転による索条の巻き上げ、繰り出しにより昇降させるアスファルト合材サイロの垂直搬送装置において、前記バケットのゲートを二分割のゲ−トによる両開き構造とし、各ゲートの上端部をバケットに回動自在に軸支すると共に、各ゲートを互いに相反方向に連動して開閉するようにリンク材を介して連結し、各ゲートの自重にて閉状態が維持される構成とし、ゲートの一方側には所定の圧力でゲートを閉方向のみに常時押圧付勢する押圧手段を配設し、この一方のゲート下端部には回動自在なゲートローラを配設する一方、サイロ本体上部の材料投入口上位には前記ゲートローラを誘導して押圧手段の圧力に抗して一方のゲートを開放させる誘導レールを配設し、この一方のゲートの開放に伴ってリンク材を介して他方のゲートも開放させるように構成したことを特徴としている。
【０００６】
また、前記押圧手段が高圧ガスを封入したガススプリングであることを特徴としている。
【０００７】
【発明の実施の形態】
本発明に係るアスファルト合材サイロの垂直搬送装置にあっては、バケットのゲートを二分割のゲートの両開き構造とし、各ゲートの上端部をバケットに回動自在に軸支すると共に、各ゲートを互いに相反方向に連動して開閉するようにリンク材を介して連結しているため、バケットが水平状態の姿勢でいるときには、ゲートの自重にて閉状態が保たれており、このゲートを押圧手段によってさほど大きくない力で閉方向に押圧付勢するだけで十分な閉状態を維持できる。
【０００８】
また、バケットにアスファルト合材を搭載して上昇させる時には、バケット全体が傾斜してゲートも傾くが、このとき、下方に位置するゲートは自重により開こうとし、また上方に位置するゲートは自重により閉じようとするために、両ゲートを連結するリンク材によって釣り合いがとられてゲートは回動しにくくなっており、このゲートを押圧手段によってさほど大きくない力で閉方向に押圧付勢するだけで十分な閉状態を維持できる。そして、バケットがサイロ本体の材料投入口の上位に到達すると、誘導レールによってゲートローラを誘導して押圧手段の押圧力に抗して一方のゲートを開方向へと回動すると、リンク材によって他方のゲートも開方向へと回動させてアスファルト合材を払い出す。
【０００９】
このように、バケットのゲートを二分割の両開き構造とし、各ゲートをリンク材によって互いに相反方向に連動させるようにすると、小型の押圧手段によって十分に閉状態を維持でき、構造が簡素化されてコストも低減される。
【００１０】
また、前記押圧手段として高圧ガスを封入したガススプリングを使用すれば、このガススプリングは小型かつ軽量のもので十分の機能を発揮し、価格も使い捨てが可能なほど廉価であってコストの低減が図れる。
【００１１】
【実施例】
以下、本発明に係るアスファルト合材サイロの垂直搬送装置の一実施例を図面に基づいて説明する。
【００１２】
図中の１は架台２上に載置したサイロ本体であって、アスファルトプラント（図示せず）により製造される１６０℃前後のアスファルト合材を一時貯蔵するもので加熱保温構造とし、上部に材料投入口３を、下部に材料排出口４を有している。
【００１３】
５は垂直搬送装置であって、地上面からサイロ本体１上部に渡ってフレーム６を架設し、該フレーム６には略コ字形状の内面を摺動面とした一対の案内レール７を対向させてフレーム６の長手方向に沿って配設している。案内レール７には前記摺動面に摺接して回動するローラ８を回動自在に配設したバケット９を配設し、索条１０の一端部をバケット９に締結すると共に、その他端部を滑車１１を介してウインチ１２に巻き付け、ウインチ１２の正逆回転により索条１０の巻き上げ、繰り出しを行ってバケット９を案内レール７に沿って昇降させるようにしている。
【００１４】
前記バケット９は上部に材料の受入口１３を、下部に排出口１４を有しており、下部の排出口１４には排出口１４を開放、閉塞するゲートを二分割した二個の略扇型形状をしたゲート１５、１５´によって両開き構造とし、各ゲート１５、１５´の上端部をバケット９の側壁に固着した枢支ピン１６、１６´により回動自在に軸支している。また、各ゲート１５、１５´にはリンク腕部１７、１７´を形成してリンク材１８にて連結し、該リンク材１８によってゲート１５、１５´を互いに相反方向に連動して開閉できる構成としている。
【００１５】
ゲート１５、１５´は、上記のように両開きゲート構造とすると共にリンク材１８によって互いに相反方向に連動して開閉するようにしているので、バケット９が水平状態の姿勢の時には、各ゲート１５、１５´は自重によって閉じており、またバケット９が昇降による傾斜状態にある時には、下位側のゲート１５は自重によって開方向へ回動しようとする一方、上位側のゲート１５´は自重によって閉方向へ回動しようとするが、両ゲートを連結するリンク材１８によって釣り合いがとられて各ゲート１５、１５´は回動しにくくなっており、ゲート１５、１５´が傾斜したからといって直に大きく開放してしまうといったことは起こりにくい構造となっている。
【００１６】
１９はゲート１５、１５´の一方を閉方向に押圧する押圧手段の一実施例としてのガススプリングであって、内部に高圧ガスを封入した筒体２０の一端をバケット９の側壁の適宜箇所に軸着すると共に、筒体２０内に出没自在としてピストンロッド２１の先端をゲート１５の突起片２２に軸着している。
【００１７】
前記ガススプリング１９は、図３に示すように、筒体２０内を摺動自在なフリーピストン２３によってガス室２４とオイル室２５とに区画しており、ガス室２４には窒素等の高圧ガスを、またオイル室２５にはオイルを封入し、またオイル室２５内にピストンロッド２１を固着したピストン２６を摺動自在に内装している。そして、ガス室２４内の高圧ガスがフリーピストン２３を介してオイル室２５を常時一定の圧力で加圧しており、ピストンロッド２１を伸長方向に常時付勢しているものである。このようなガス圧によって伸び方向に反発力を有するガススプリング１９は小型のものは廉価であり、価格的には使い捨てが可能なものとなっている。
【００１８】
２７はゲート１５の両側に回動自在に取り付けたゲートローラであって、バケット９がサイロ本体１上部の材料投入部３の上位に昇行してきた時に、材料投入部３の上位に配設した略山型の誘導レール２８によってゲートローラ２７を誘導し、上方へ持ち上げることで一方のゲート１５をガススプリング１９のガス圧に抗して開方向へと回動させ、同時にリンク材１８を介して他方のゲート１５´も反対向きの開方向へと回動させてバケット９の排出口１４を開放するようにしている。
【００１９】
しかして、上記垂直搬送装置によってアスファルト合材を搬送するときには、アスファルトプラントにより製造されたアスファルト合材を垂直搬送装置のフレーム６の下部に待機させたバケット９に投入する。この合材投入時にはバケット９は水平状態の姿勢であり、ゲート１５、１５´はゲート上端部の枢支ピン１６、１６´で吊下げた状態であってアスファルト合材の重みがかかってもゲート１５、１５´は自然に閉状態を維持しており、これに加えて一方のゲート１５をガススプリング１９によって閉方向に押圧付勢すると共に、他方のゲート１５´もリンク材１８を介して閉方向に付勢されているのでゲート１５、１５´は十分な閉状態が維持されている。
【００２０】
そして、ウインチ１２を駆動して索条１０を巻き上げ、案内レール７に沿ってバケット９を引き上げていくと、バケット９は傾斜状態の姿勢となり、下位側のゲート１５は自重によって開方向へ回動しようとする一方、上位側のゲート１５´は自重によって閉方向へ回動しようとするが、両ゲートを連結するリンク材１８によって釣り合いがとられてゲート１５、１５´は回動しにくくなっており、バケット９が傾斜したからといって直に大きく開放してしまうといったことは起こりにく、またゲート１５をガススプリング１９によって閉方向に押圧付勢していることによってゲート１５、１５´は十分な閉状態が維持されている。
【００２１】
この状態で更にバケット９が上昇し、サイロ本体１上部に移動してバケット９の排出口１４がサイロ本体１上部の材料投入口３に臨む位置に到達すると、一方のゲート１５に取り付けたゲートローラ２７がその軌道上に配設した誘導レール２８に誘導されて上方に持ち上げられ、閉方向に付勢押圧しているガススプリング１９のガス圧に抗して開方向へ回動し、これに伴ってリンク材１８を介して他方のゲート１５´も開方向へと回動し、バケット９の排出口１４を開放してアスファルト合材を材料投入口３へと払い出す。
【００２２】
アスファルト合材の払い出しが完了すればウインチ１２を逆転させてバケット９を自重で降下させると、ゲート１５、１５´は自重とガススプリング１９の押圧力によってに閉位置に復帰し、傾斜状態の姿勢で下降しても前記と同様に十分な閉状態が維持されながら元の待機位置へと戻る。
【００２３】
このように、バケット９が水平状態や傾斜状態の姿勢のときでも、ゲート１５、１５´は開方向の力があまりかからないために、押圧手段によってさほど大きくない力で閉方向に押圧付勢していても十分な閉状態が維持でき、押圧手段が小型化されてバケット重量も軽くでき、構造も簡素となってコストの低減も図れる。また、バケット重量が軽くなればウインチ１２や索条１０の負担も少なくなって部品の寿命を伸ばすこともできる。更に、押圧手段としてガススプリング１９を使用すれば、小型かつ軽量で、伸縮動作もスムーズであって機能を十分に発揮でき、価格も使い捨てができる程度の低廉なものもあってコストの低減も一層図れる。
【００２４】
なお、上記実施例では、ゲート１５、１５´を閉方向に押圧付勢する押圧手段の一例としてガススプリング１９を記載したが、ガススプリングに代えてコイルバネや小型の空圧式シリンダ等を使用することもできる。
【００２５】
【発明の効果】
本発明に係るアスファルト合材サイロの垂直搬送装置によれば、バケットのゲートを二分割のゲ−トによる両開き構造とし、各ゲートの上端部をバケットに回動自在に軸支すると共に、各ゲートを互いに相反方向に連動して開閉するようにリンク材を介して連結し、各ゲートの自重にて閉状態が維持される構成とし、ゲートの一方側には所定の圧力でゲートを閉方向のみに常時押圧付勢する押圧手段を配設し、この一方のゲート下端部には回動自在なゲートローラを配設する一方、サイロ本体上部の材料投入口上位には前記ゲートローラを誘導して押圧手段の圧力に抗して一方のゲートを開放させる誘導レールを配設し、この一方のゲートの開放に伴ってリンク材を介して他方のゲートも開放させるように構成したので、バケットが水平状態や傾斜状態の姿勢のときでもゲートには開方向の力があまり作用せず、小型の押圧手段で閉方向にさほど大きくない力で押圧付勢しておけば十分な閉状態が維持でき、構造も簡素となってコストの低減を図れる。
【００２６】
また、押圧手段として高圧ガスを封入したガススプリングを使用すれば、ガススプリングは小型でかつ軽量のもので機能を十分に発揮し、価格も使い捨てが可能なほど廉価であってコストの低減も図れる。
【図面の簡単な説明】
【図１】本発明に係るアスファルト合材サイロの垂直搬送装置の一実施例を示す正面図である。
【図２】図１の要部拡大図である。
【図３】ガススプリングの一部切り欠き図である。
【符号の説明】
１…サイロ本体                      ３…材料投入口
５…垂直搬送装置                    ６…フレーム
７…案内レール                      ８…ローラ
９…バケット                      １０…索条
１２…ウインチ                      １５、１５´…ゲート
１６、１６´…枢支ピン              １８…リンク材
１９…ガススプリング                ２０…筒体
２３…ピストンロッド                ２７…ゲートローラ
２８…誘導レール
【図１】
0004109794.tif 000002
【図２】
0004109794.tif 000003
【図３】
0004109794.tif 000004